【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
音声信号を生成するための入力トランスデューサと、
補聴器のフィードバック経路をモデル化するように構成されたフィードバック抑制回路と、
前記音声信号から前記フィードバック抑制回路の出力信号を減じて、フィードバック補償後の音声信号を形成する減算器と、
前記フィードバック補償後の音声信号を処理して聴力損失補償を実施するために、前記減算器の出力に接続された信号プロセッサと、
前記処理済みのフィードバック補償後の音声信号を音響信号に変換するために、前記信号プロセッサの出力に接続されたレシーバと、
少なくとも前記フィードバック補償後の音声信号の残留フィードバック信号の推定に基づいて、前記フィードバック補償後の音声信号の利得調節を実施するための利得プロセッサであって、前記残留フィードバック信号の前記推定が少なくとも前記音声信号に基づく、前記利得プロセッサと、を備える補聴器であって、
前記利得プロセッサは、前記フィードバック補償後の音声信号に対して利得を適用し、結果として生じる前記補聴器の出力信号の音の大きさは、残留フィードバック信号なしで取得されるはずの音の大きさと実質的に等しくなる、補聴器。
【請求項２】
前記フィードバック抑制回路が前記補聴器の初期化中に構成され、前記残留フィードバック信号の前記推定が、前記補聴器の前記初期化中に得られた前記フィードバック抑制回路の構成にさらに基づく、請求項１に記載の補聴器。
【請求項３】
前記フィードバック抑制回路が可変である構成を有し、前記残留フィードバック信号の前記推定が、前記補聴器の現在の動作中に決定された前記フィードバック抑制回路の構成にさらに基づく、請求項１に記載の補聴器。
【請求項４】
前記フィードバック抑制回路は適応フィルタを備える、請求項１から３のいずれか一項に記載の補聴器。
【請求項５】
前記利得プロセッサと前記信号プロセッサは、それぞれ前記利得調節と聴力損失補償とを別々に実施するように構成されている、請求項１から４のいずれか一項に記載の補聴器。
【請求項６】
前記信号プロセッサが、１組の周波数帯ｋにおいてマルチバンド聴力損失補償を実施するように構成されており、前記残留フィードバック信号の前記推定が、前記周波数帯ｋにおける前記残留フィードバック信号の推定を含む請求項１から５のいずれか一項に記載の補聴器。
【請求項７】
前記それぞれの周波数帯ｋにおける前記残留フィードバック信号の推定Ｒｋが次式によって与えられ、
【数１】
2017500780.tif 000001
前記利得調節の大きさαｋが次式から計算され、
【数２】
2017500780.tif 000002
ここで、βは前記残留フィードバック信号をフィードバック基準に関連付けるスケーリング項であり、
Ａｋは前記フィードバック抑制回路を使用して取得されたフィードバック基準利得であり、
Ｂｋは前記音声信号からの寄与度である、請求項６に記載の補聴器。
【請求項８】
前記フィードバック抑制回路が適応フィルタを備え、βが次式から計算され、
【数３】
2017500780.tif 000003
ここで、ｑは整数であり、
｜｜  ｜｜はベクトルのｐノルムを示し、ｐは正の整数であり、
ｃｓは静的状況における前記フィードバック経路のモデル化において前記フィードバック抑制回路の精度に関するスケール係数であり、
ｃｄは動的状況における前記フィードバック経路のモデル化において前記フィードバック抑制回路の精度に関するスケール係数であり、
ベクトルｈｅｍｐは特定の周波数を強調するためのフィルタを表し、
ベクトルｗは前記適応フィルタの係数ベクトルであり、
ベクトルｗｒｅｆは前記適応フィルタの基準係数ベクトルであって、
σｎｏｒｍは低域通過フィルタを適用されたフィードバック抑制回路のノルム
【数４】
2017500780.tif 000004
である、請求項７に記載の補聴器。
【請求項９】
ｑが２に等しい、請求項８に記載の補聴器。
【請求項１０】
ベクトルｈｅｍｐが１に等しい、請求項８又は９に記載の補聴器。
【請求項１１】
前記ｐノルムが１ノルムである、請求項８から１０のいずれか一項に記載の補聴器。
【請求項１２】
前記利得プロセッサの処理パラメータを平滑化するように構成されたアタック・フィルタおよびリリース・フィルタをさらに備える、請求項１から１１のいずれか一項に記載の補聴器。
【請求項１３】
残留フィードバックを抑制する方法であって、
音響信号を音声信号に変換するステップと、
入力信号を受け取るフィードバック抑制回路を使用して、前記音声信号に基づいてフィードバック経路をモデル化し、出力信号を生成するステップと、
前記音声信号から前記フィードバック抑制回路の前記出力信号を減じて、フィードバック補償後の音声信号を形成するステップと、
少なくとも前記音声信号に基づいて、前記フィードバック補償後の音声信号の、残留フィードバック信号部分の推定を決定するステップと、
少なくとも前記推定に基づいて、前記フィードバック補償後の音声信号に利得を適用するステップと、を含み、
前記利得が前記フィードバック補償後の音声信号に対して適用されることで、結果として生じる前記補聴器の出力信号の音の大きさは、残留フィードバック信号なしで取得されるはずの音の大きさと実質的に等しくなる、方法。
【請求項１４】
前記フィードバック経路を監視するステップをさらに含み、前記残留フィードバック信号部分の前記推定が、前記監視するステップからの結果に基づく、請求項１３に記載の方法。
【手続補正２】
【補正対象書類名】明細書
【補正対象項目名】０１６５
【補正方法】変更
【補正の内容】
【０１６５】
特定の実施形態が示され、説明されてきたが、それらが特許請求された発明を制限するようには意図されないことが理解されるはずであり、特許請求された発明の精神および範囲から逸脱することなく様々な変更形態および修正形態が製作され得ることが当業者には明白なはずである。したがって、本明細書および図面は、限定的な意味ではなく例示的な意味に考えられるべきである。特許請求された発明は、代替形態、修正形態、および均等物を対象として含むことが意図されている。本明細書の開示により、下記する実施形態が把握される。
［形態１］
音声信号を生成するための入力トランスデューサと、
補聴器のフィードバック経路をモデル化するように構成されたフィードバック抑制回路と、
前記音声信号から前記フィードバック抑制回路の出力信号を減じて、フィードバック補償後の音声信号を形成する減算器と、
前記フィードバック補償後の音声信号を処理して聴力損失補償を実施するために、前記減算器の出力に接続された信号プロセッサと、
前記処理済みのフィードバック補償後の音声信号を音響信号に変換するために、前記信号プロセッサの出力に接続されたレシーバと、を備え、
少なくとも前記フィードバック補償後の音声信号の残留フィードバック信号の推定に基づいて、前記フィードバック補償後の音声信号の利得調節を実施するための利得プロセッサをさらに備え、前記残留フィードバック信号の前記推定が少なくとも前記音声信号に基づく、補聴器。
［形態２］
前記フィードバック抑制回路が前記補聴器の初期化中に構成され、前記残留フィードバック信号の前記推定が、前記補聴器の前記初期化中に得られた前記フィードバック抑制回路の構成にさらに基づく、形態１に記載の補聴器。
［形態３］
前記フィードバック抑制回路が可変である構成を有し、前記残留フィードバック信号の前記推定が、前記補聴器の現在の動作中に決定された前記フィードバック抑制回路の構成にさらに基づく、形態１に記載の補聴器。
［形態４］
前記残留フィードバック信号の前記推定は、前記補聴器の利得値にさらに基づく、形態１に記載の補聴器。
［形態５］
前記フィードバック抑制回路は適応フィルタを備える、形態１に記載の補聴器。
［形態６］
前記利得プロセッサと前記信号プロセッサは、それぞれ前記利得調節と聴力損失補償とを別々に実施するように構成されている、形態１に記載の補聴器。
［形態７］
前記信号プロセッサが、１組の周波数帯ｋにおいてマルチバンド聴力損失補償を実施するように構成されており、前記残留フィードバック信号の前記推定が、前記周波数帯ｋにおける前記残留フィードバック信号の推定を含む形態１に記載の補聴器。
［形態８］
前記残留フィードバック信号の前記推定が、適応型広帯域寄与度βの推定を含む形態７に記載の補聴器。
［形態９］
前記それぞれの周波数帯ｋにおける前記残留フィードバック信号の推定Ｒｋが明細書中の前記［数１］によって与えられ、
前記利得調節の大きさαｋが明細書中の前記［数２］から計算され、
ここで、βは前記残留フィードバック信号をフィードバック基準に関連付けるスケーリング項であり、
Ａｋは前記フィードバック抑制回路を使用して取得されたフィードバック基準利得であり、
Ｂｋは前記音声信号からの寄与度である、形態８に記載の補聴器。
［形態１０］
前記フィードバック抑制回路が適応フィルタを備え、βが明細書中の前記［数３］から計算され、
ここで、ｑは整数であり、
｜｜  ｜｜はベクトルのｐノルムを示し、ｐは正の整数であり、
ｃｓは静的状況における前記フィードバック経路のモデル化において前記フィードバック抑制回路の精度に関するスケール係数であり、
ｃｄは動的状況における前記フィードバック経路のモデル化において前記フィードバック抑制回路の精度に関するスケール係数であり、
ベクトルｈｅｍｐは特定の周波数を強調するためのフィルタを表し、
ベクトルｗは前記適応フィルタの係数ベクトルであり、
ベクトルｗｒｅｆは前記適応フィルタの基準係数ベクトルであって、
σｎｏｒｍは低域通過フィルタを適用されたフィードバック抑制回路のノルムであって、明細書中の前記［数４］で表される、形態９に記載の補聴器。
［形態１１］
ｑが２に等しい、形態１０に記載の補聴器。
［形態１２］
ベクトルｈｅｍｐが１に等しい、形態１０に記載の補聴器。
［形態１３］
前記ｐノルムが１ノルムである、形態１０に記載の補聴器。
［形態１４］
前記利得プロセッサの処理パラメータを平滑化するように構成されたアタック・フィルタおよびリリース・フィルタをさらに備える、形態１に記載の補聴器。
［形態１５］
残留フィードバックを抑制する方法であって、
音響信号を音声信号に変換するステップと、
入力信号を受け取るフィードバック抑制回路を使用して、前記音声信号に基づいてフィードバック経路をモデル化し、出力信号を生成するステップと、
前記音声信号から前記フィードバック抑制回路の前記出力信号を減じて、フィードバック補償後の音声信号を形成するステップと、
少なくとも前記音声信号に基づいて、前記フィードバック補償後の音声信号の、残留フィードバック信号部分の推定を決定するステップと、
少なくとも前記推定に基づいて、前記フィードバック補償後の音声信号に利得を適用するステップと、を含む方法。
［形態１６］
前記フィードバック経路を監視するステップをさらに含み、前記残留フィードバック信号部分の前記推定が、前記監視するステップからの結果に基づく、形態１５に記載の方法。